(57)【要約】      （修正有）【課題】犬を精神的に不安にならないよう安定して保持することができ、かつ尻部や腹部、胸部を容易に洗うことができる犬保持装置を提供する。【解決手段】犬保持装置１００は、犬の胸部を前脚後方の下方より保持すると共に前方に略傾斜した保持面を有するＵ字形状の胸部保持部材１０と、両端部が胸部保持部材１０の上側両端部に回動可能に連結され、犬の首部を前脚前方から保持するバンド部材２０と、胸部保持部材１０の下部に連結されており、この胸部保持部材１０を自立可能に支持するスタンド部材３０とを備えている。【選択図】図１
2017006033.tif 000002
【特許請求の範囲】
【請求項１】
犬の胸部を前脚後方の下方より保持すると共に前方に略傾斜した保持面を有するＵ字形状の胸部保持部材と、
両端部が前記胸部保持部材の上側両端部に回動可能に連結され、犬の首部を前脚前方から保持するバンド部材と、
前記胸部保持部材の下部に連結されており、該胸部保持部材を自立可能に支持するスタンド部材とを備えていることを特徴とする犬保持装置。
【請求項２】
前記胸部保持部材に連結されており、犬の腹部を下方より保持する腹部保持部材をさらに備えていることを特徴とする請求項１に記載の犬保持装置。
【請求項３】
前記腹部保持部材は、横方向の軸線に関して回動可能に前記胸部保持部材に軸支されていることを特徴とする請求項２に記載の犬保持装置。
【請求項４】
前記腹部保持部材は、横方向の軸線に関して回動可能に前記胸部保持部材に軸支された回動部材と該回動部材に前後方向に位置調整可能に装着された腹受け部材を有していることを特徴とする請求項３に記載の犬保持装置。
【請求項５】
前記胸部保持部材は、前記バンド部材を、前記腹部保持部材が装着された側の反対側において、少なくとも水平位置に対して上方４５度及び下方４５度の位置に仮止め可能な連結部を有していることを特徴とする請求項２から４のいずれか１項に記載の犬保持装置。
【請求項６】
前記バンド部材は、前記胸部保持部材に着脱可能に連結されていることを特徴とする請求項１から５のいずれか１項に記載の犬保持装置。
【請求項７】
前記腹部保持部材を略水平位置に保持する回動規制手段と、前記回動規制手段による規制を解除する解除手段とをさらに備え、
前記回動規制手段は、前記回動部材の下部に設けられた突出片と、前記胸部保持部材の下部に設けられ、前記突出片が当接する当接部とを有しており、
前記解除手段は、前記突出片又は前記当接部の側面を押し変形させる押しコマを有していることを特徴とする請求項４に記載の犬保持装置。
【請求項８】
前記腹部保持部材は、前記胸部保持部材に着脱可能に装着されていることを特徴とする請求項４に記載の犬保持装置。
【請求項９】
前記スタンド部材は、前記胸部保持部材の高さを調整する高さ調整手段を備えていることを特徴とする請求項１から８のいずれか１項に記載の犬保持装置。
【発明の詳細な説明】
【技術分野】
【０００１】
本発明は、犬を洗う作業等を行う際に、所定の姿勢に犬を保持するための犬保持装置に関する。
【背景技術】
【０００２】
家庭、動物病院又はペットショップ等において、ペットに対して簡単に風呂、美容又は医療を行えるようにしたペット用美容、医療及び浴槽システムは公知である（例えば、特許文献１）。
【０００３】
この特許文献１に記載のシステムは、ペット（犬）の頭及び胴の動きを固定するための浴槽スタンドと、浴槽の底に設けられており、浴槽スタンドを支えると共にその高低を調整するための浴槽スタンド高低調整台とを備えている。
【０００４】
また、犬のシャンプー、乾燥、ヘアブロー、カット、又はブラッシングのような手入れ、歯研き（歯の手入れ）、衣服（例えば、セーター）の着用、更にはしつけにも使用可能な犬保持装置も公知である（例えば、特許文献２）。
【０００５】
特許文献２に記載の犬保持装置は、犬の前足及び後ろ足をそれぞれ載せる前足載置部及び後ろ足載置部を有する載置台と、前足載置部に設けられ、４つ足を使って立った状態の犬の首部を支持し固定する首用支持部材と、後ろ足載置部に設けられ、４つ足を使って立った状態の犬の後ろ足の腹部側つけね部を支持し固定する胴用支持部材とを備えている。
【先行技術文献】
【特許文献】
【０００６】
【特許文献１】特表２００７−５１２８３０号公報
【特許文献２】特許第４０８０４７６号公報
【発明の概要】
【発明が解決しようとする課題】
【０００７】
しかしながら、特許文献１に記載された従来のペット用美容、医療及び浴槽システムは、犬全身を持ち上げる構成であるため、犬が精神的に不安になりやすく、犬を安定した状態で保持することが困難であった。また、腹部全体が支持されているため、腹部における洗うことが可能な面積が制限されていた。
【０００８】
また、特許文献２に記載された犬保持装置の場合は、首用支持部材と胴用支持部材とを用いているため、間隔を調整できる専用の載置台が必要となり、構成が複雑で、大型となり、設置場所を大きく取ってしまう。
【０００９】
従って、本発明の目的は、犬を精神的に不安にならないよう安定して保持することができ、かつ尻部や腹部、胸部を容易に洗うことができる犬保持装置を提供することにある。特に、老齢や傷病により下半身や全身が不随に成り自立できなくなった要介護犬の糞尿による汚濁の洗い流しをすることである。犬には体毛が有り自立できずに糞尿をすれば尻周りを汚してしまう。この汚れを洗い流すには犬を抱きかかえシャワーで洗うか、床に寝かせて洗うしか方法が無い、前者では相当に小さい犬か強靭な体力の作業者でないと不可能であり、作業中に着衣も濡れてしまう。後者では、洗った汚水が本来汚れていない、腹、胸等上半身を汚してしまいその部分をも洗浄しなくてはならなくなり、ついには全身を洗うことになる。同様に乾燥の為にドライヤーを掛けるにも寝かせた下の部分には風が通らず頻繁に寝返りをさせなくてはならない。健常な犬では動きまわり洗浄、乾燥等の作業がし難いが本発明品を使えば適度な拘束ができ容易に実行できる。
【００１０】
本発明の他の目的は、小型で使用が簡便であり、かつ製造コストが安価な犬保持装置を提供することにある。
【課題を解決するための手段】
【００１１】
本発明によれば、犬保持装置は、犬の胸部を前脚後方の下方より保持すると共に前方に略傾斜した保持面を有するＵ字形状の胸部保持部材と、両端部が胸部保持部材の上側両端部に回動可能に連結され、犬の首部を前脚前方から保持するバンド部材と、胸部保持部材の下部に連結されており、この胸部保持部材を自立可能に支持するスタンド部材とを備えている。
【００１２】
Ｕ字形状の胸部保持部材の前方に略傾斜した保持面により犬の胸部を前脚後方の下方より保持し、バンド部材により犬の首部を前脚前方から保持する。これにより、犬は脚が床に着くため精神的に不安にならない安定した状態で保持される。また、小型で使用が簡便であり、かつ製造コストが安価となる。
【００１３】
胸部保持部材に連結されており、犬の腹部を下方より保持する腹部保持部材をさらに備えていることが好ましい。また、腹部保持部材は、横方向の軸線に関して回動可能に胸部保持部材に軸支されていることが好ましい。さらに、腹部保持部材は、横方向の軸線に関して回動可能に胸部保持部材に軸支された回動部材とこの回動部材に前後方向に位置調整可能に装着された腹受け部材を有していることが好ましい。腹部保持部材の回動部材が、横方向の軸線に関して回動可能であり、腹受け部材がこの回動部材に前後方向に位置調整可能に装着されているため、回動部材と共に腹受け部材を下方に回動させれば、犬の腹部から胸まで容易に洗うことができる。また、腹受け部材の位置を前後方向に調整できるので、犬の大きさに応じた最適な状態で犬を保持することができる。
【００１４】
胸部保持部材は、バンド部材を、腹部保持部材が装着された側の反対側において、少なくとも水平位置に対して上方４５度及び下方４５度の位置に仮止め可能な連結部を有していることが好ましい。バンド部材を上方に回動させて仮止めすれば、犬乗せ作業が容易となり、バンド部材を下方向に降ろすことにより犬を安定した状態で保持できる。
【００１５】
バンド部材は、胸部保持部材に着脱可能に連結されていることが好ましい。これにより、犬乗せ作業を容易に行うことができる、特にバンド部材を胸部保持部材から外せれば犬を降ろす時にバンド部材を上方向に回動させず胸部分を解放出来、抱き上げる為の手がこの部分に差し入れることが出来非常に好都合である。
【００１６】
腹部保持部材を略水平位置に保持する回動規制手段と、回動規制手段による規制を解除する解除手段とをさらに備え、回動規制手段は、回動部材の下部に設けられた突出片と、胸部保持部材の下部に設けられ、突出片が当接する当接部とを有しており、解除手段は、突出片又は当接部の側面を押し変形させる押しコマを有していることが好ましい。これにより、腹部保持部材を下方に簡単に回動させることができ、腹部から胸部までの部分を容易に洗うことができる。
【００１７】
腹部保持部材は、胸部保持部材に着脱可能に装着されていることが好ましい。これにより、犬の腹部から胸部までの部分を洗う際に、腹部保持部材を取り外すことができ、洗う作業を容易に行うことができる。
【００１８】
スタンド部材は、胸部保持部材の高さを調整する高さ調整手段を備えていることが好ましい。これにより、犬の大きさや犬種による足の長さに対応して胸部保持部材の高さを自由に調整できる。肢体が不自由な犬では低くめにして安定させ恐怖心を和らげ、暴れる犬では高目にして、手足の動きによる移動や転倒を防止する。更に作業者の姿勢に合わせ上下すれば座っての作業も可能であり、飛沫の飛散も最小限に抑えられる。ドライヤーとの相互の位置と高さの変更で犬のあらゆる部分を容易に乾燥させることができる。かつ犬保持装置の収納時の小型化を実現できる。
【発明の効果】
【００１９】
本発明の犬保持装置によれば、従来の犬が不安になりやすく、犬を安定して保持することが困難であるという問題点を解決し、犬を精神的に不安にならないよう安定して保持することができ、かつ尻部や腹部、胸部を容易に洗うことができる。また、小型で使用が簡便であり、かつ製造コストが安価となる。
【図面の簡単な説明】
【００２０】
【図１】本発明の第１の実施形態に係る犬保持装置の全体構成を概略的に示す斜視図である。
【図２】図１の犬保持装置を使用して犬を洗う場合を概略的に示す側面図である。
【図３】図１の犬保持装置の全体構成を後方から概略的に示す背面図である。
【図４】図１の犬保持装置の腹部保持部材の構成を概略的に示す斜視図である。
【図５】図１の犬保持装置の回動規制手段及び解除手段の構成を概略的に示す斜視図である。
【図６】図１の犬保持装置のスタンド部材の高さ調整手段の構成を概略的に示す図である。
【図７】本発明の第２の実施形態に係る犬保持装置の全体構成を概略的に示す斜視図である。
【図８】図７の犬保持装置の全体構成を後方から概略的に示す背面図である。
【図９】本発明の第３の実施形態に係る犬保持装置の全体構成を概略的に示す側面図である。
【発明を実施するための形態】
【００２１】
以下、本発明に係る犬保持装置の実施形態を、図を参照して説明する。
【００２２】
図１は本発明の第１の実施形態に係る犬保持装置１００の全体の構成を示しており、図２は犬保持装置１００を使用して犬を洗う場合を概略的に示している。ただし、図２において、二点鎖線は腹部保持部材を下げた状態を示している。図３は犬保持装置１００の構成を後方から概略的に示している。図４は腹部保持部材４０の構成を分解状態で示しており、同図（ａ）は腹受け部材４０ｂの構成を示しており、（ｂ）は回動部材４０ａの構成を示している。図５は回動規制手段及び解除手段の構成を示しており、同図（ａ）は回動規制手段及び解除手段の全体構成を示しており、（ｂ）は胸部保持部材１０の柱状部１２に設けられた解除用穴１４とガイド穴１５を示している。図６はスタンド部材の高さ調整手段の構成を示しており、同図（ａ）は高さ調整可能な状態、（ｂ）は固定状態をそれぞれ示している。
【００２３】
図１から図６に示すように、本実施形態に係る犬保持装置１００は、犬の胸部を前脚後方の下方より保持すると共に前方にわずかに傾斜した保持面を有するＵ字形状の胸部保持部材１０と、犬の首部を前脚前方から保持するバンド部材２０と、胸部保持部材１０の下部に連結されており、この胸部保持部材１０を自立可能に支持するスタンド部材３０と、犬の腹部を下方より保持する腹部保持部材４０とを備えている。
【００２４】
胸部保持部材１０は、例えば、樹脂材料から成形され、図１から図３に示すように、全体がＵ字形状に形成されており、その底部が犬の胸部を前脚後方の下方より保持すると共に前方にわずかに傾斜した保持面となっている。この胸部保持部材１０の下側両端部には軸穴を有する突片１１が一体的に設けられている。また、胸部保持部材１０の下側中央部には下方へ伸びる柱状部１２が設けられている。この柱状部１２には、腹部保持部材４０の回動規制を解除する際に回動規制片４２が嵌入可能な嵌入穴１４と、押しコマ４３のガイド部４３ｂをガイドするためのガイド穴１５が設けられている。さらに、胸部保持部材１０の上側両端部にはバンド部材２０を回動可能に連結するための連結部１３が設けられている。この連結部１３は、バンド部材２０の角穴２１が嵌入可能な角状突起とこの突起の端面に形成されたフランジ部とを有している。
【００２５】
バンド部材２０は、可撓性を有する樹脂板から形成され、胸部保持部材１０の上側両端部に回動可能に連結され、犬の首部を前脚前方から保持するものである。このバンド部材２０の両端部にそれぞれ複数の角穴２１が形成されている。角穴２１は、胸部保持部材１０の連結部１３に嵌入可能に、かつ連結部１３により少なくとも水平位置に対して上方４５度及び下方４５度の位置に仮止め可能に構成されている（図１参照）。また、バンド部材２０は、胸部保持部材１０に着脱可能に装着されている。複数ある角穴２１を選択して連結部１３に嵌入することによりバンド部材２０の働き長さを変更し、あらゆる犬の大きさや犬種に対応出来るようにする。
【００２６】
スタンド部材３０は、ベース部３１と、支柱部３２と、高さ調整手段３３とから構成されている。ベース部３１は、前後方向に突き出す４つの足からなる２つのＵ字状に形成されている。この４つの足の端部下面に滑り止め材（例えば、ゴム足）が設けられている。また、前方に突き出す２つの足の長さと後方に突き出す２つの足の長さとは所定の比（例えば、４．５：５．５）を有している。これにより、４つの足で安定して支持できると共に、前後Ｕ字状に形成されることで犬の前足と後足に接触することを回避することができる。犬の尻部を洗った水によりベース部３１への汚れを抑えることができる。支柱部３２は、中空筒状に形成されており、中に胸部保持部材１０の柱状部１２がスライド可能に挿入されている。高さ調整手段３３は、操作レバー３３ａと、操作レバー３３ａの回動軸３３ｂと、回動軸３３ｂが装着される鍔部３３ｃと、操作レバー３３ａの回動により移動し胸部保持部材１０の柱状部１２にスライドを規制するロック部材３３ｄと、ロック部材３３ｄの表面に設けられた滑り止めシート３３ｅとを有している。
【００２７】
図６（ａ）に示すように、操作レバー３３ａが開いた状態では、ロック部材３３ｄの表面に設けられた滑り止めシート３３ｅは胸部保持部材１０の柱状部１２と接触しないので、柱状部１２がスライド可能になる。一方、同図（ｂ）に示すように、操作レバー３３ａが閉じた状態では、ロック部材３３ｄの表面に設けられた滑り止めシート３３ｅは胸部保持部材１０の柱状部１２と接触し、柱状部１２のスライドを制限し固定することになる。
【００２８】
腹部保持部材４０は、例えば、樹脂材料から成形され、犬の腹部を下方より支持するものであり、横方向の軸線に関して回動可能に胸部保持部材１０に軸支された回動部材４０ａと、この回動部材４０ａに前後方向に位置調整可能に装着された腹受け部材４０ｂとを有している。腹部保持部材４０は、胸部保持部材１０に着脱可能に装着されている。これにより、犬の腹部から胸部までの部分を洗う際に、腹部保持部材４０を取り外すことができ、洗う作業を容易に行うことができる。
【００２９】
回動部材４０ａは、両側に突片１１の穴に挿入する回転軸４１が設けられており、この回転軸４１により胸部保持部材１０の突片１１に回動可能に装着されている。また、回動部材４０ａの下面中央部にこの回動部材４０ａの回動を規制する回動規制片４２が設けられている。この回動規制片４２は、胸部保持部材１０の柱状部１２の表面に当接することで回動部材４０ａの回動を規制するように構成されている。また、胸部保持部材１０の下部に回動規制片４２の回動規制を解除するための解除手段としての押しコマ４３が設けられている。押しコマ４３は片方の突片１１に挿通する棒状部４３ａと、棒状部４３ａの側面に形成されたＬ形のガイド部４３ｂとを有している。この押しコマ４３を押すと、回動規制片４２が曲げ変形し、回動規制片４２の柱状部１２に当接する端部が柱状部１２の嵌入穴１４に嵌入することで回動規制片４２の回動規制が解除され、回動部材４０ａが回動可能な状態となる。さらに、回動部材４０ａの上面に腹受け部材４０ｂを装着するための複数の嵌合穴４４ａが２列に設けられている。
【００３０】
腹受け部材４０ｂは、回動部材４０ａに１対の嵌合穴４４ａ、嵌合部４４ｂ、及び弾性体（例えば、エラストマー）からなる留め部材５０がその端部瘤５１が係止部４６に係止されることにより固定される。腹受け部材４０ｂの湾曲部４５は犬の腹部が両側への位置ずれするのを防止する。なお、留め部材５０の端部はリング状に形成されても良い。
【００３１】
図２に示すように、犬の腹部や胸部後方を洗う際には、腹部保持部材４０を回転させ下方に降ろして、犬の腹部や胸部後方を露出させて洗うことができる。尻部分を洗うとき、腹部保持部材４０を上方へ回転させ固定することで、犬の腹部を支持すると犬を安定した状態で作業ができる。
【００３２】
以上説明したように、本実施形態の犬保持装置１００は、犬の胸部を前脚後方の下方より保持すると共に前方に略傾斜した保持面を有するＵ字形状の胸部保持部材１０と、犬の首部を前脚前方から保持するバンド部材２０と、胸部保持部材１０の下部に連結されており、この胸部保持部材１０を自立可能に支持するスタンド部材３０と、犬の腹部を下方より保持する腹部保持部材４０とを備えている。腹部保持部材４０は、横方向の軸線に関して回動可能に胸部保持部材１０に軸支された回動部材４０ａとこの回動部材４０ａに前後方向に位置調整可能に装着された腹受け部材４０ｂとを有している。これにより、犬は脚が床に着くため精神的に不安にならない安定した状態で保持される。また、小型で使用が簡便であり、かつ製造コストが安価となる。さらに、回動部材４０ａと共に腹受け部材４０ｂを下方に回動させれば、犬の腹部から胸まで容易に洗うことができる。また、腹受け部材４０ｂの位置を前後方向に調整できるので、犬の大きさや体型に応じた最適な状態で犬を保持することができる。
【００３３】
また、胸部保持部材１０は、バンド部材２０が少なくとも水平位置に対して上方４５度及び下方４５度の位置に仮止め可能な連結部を有している。これにより、バンド部材２０を上方に回動させて仮止めすれば、犬乗せ作業が容易となり、バンド部材２０を下方に戻すことにより犬を安定した状態で保持できる。しかもこの戻し作業は、仮止め強さを適正にすることにより、犬の首部分からの押し圧により自動的に下方に回動する。
【００３４】
また、バンド部材２０は、胸部保持部材１０に着脱可能に連結されていることで、犬乗せ作業及び首固定作業を容易に行うことができる。更に角穴２１を選択して連結部１３に嵌入することによりあらゆる犬の大きさや犬種に対応できる。
【００３５】
また、回動部材４０ａの回動規制手段としては、回動部材４０ａの下部に設けられた回動規制片４２と、胸部保持部材１０の下部に設けられ、回動規制片４２が当接する当接部（柱状部１２の表面）とから構成され、解除手段としては、回動規制片４２の側面を押し変形させる押しコマ４３を有していることで、腹部保持部材４０を下方に簡単に回動させることができ、犬の腹部から胸部までの部分を容易に洗うことができる。
【００３６】
また、腹部保持部材４０は、胸部保持部材１０に着脱可能に装着されていることで、犬の腹部から胸部までの部分を洗う際に、腹部保持部材４０を取り外すことができ、洗う作業を容易に行うことができる。
【００３７】
さらに、スタンド部材３０は、胸部保持部材１０の高さを調整する高さ調整手段３３を備えていることで、犬の大きさに対応して胸部保持部材１０の高さを自由に調整でき、かつ犬保持装置１００の収納時の小型化を実現できる。
【００３８】
図７は本発明の第２の実施形態に係る犬保持装置２００の全体の構成を示しており、図８は犬保持装置２００の構成を後方から概略的に示している。この第２の実施形態においては、２つの高さ調整手段３３及び３３Ａを有し、さらに、第１の実施形態における柱状部１２の表面が、回動規制片４２が当接する当接部とすることに代えて胸部保持部材１０の下部に当接片１６を設け、かつ押しコマ４３のガイド部４３ｂとガイド穴１５とを設けずに構成しており、本実施形態にその他の構成は第１の実施形態の場合と同様である。
【００３９】
図７及び図８に示すように、本実施形態の犬保持装置２００は、犬の胸部を前脚後方の下方より保持すると共に前方にわずかに傾斜した保持面を有するＵ字形状の胸部保持部材１０Ａと、犬の首部を前脚前方から保持するバンド部材２０と、胸部保持部材１０Ａの下部に連結されており、この胸部保持部材１０Ａを自立可能に支持するスタンド部材３０Ａと、犬の腹部を下方より保持する腹部保持部材４０Ａとを備えている。
【００４０】
胸部保持部材１０Ａは、例えば、樹脂材料から成形され、全体がＵ字形状に形成されており、その底部が犬の胸部を前脚後方の下方より保持すると共に前方にわずかに傾斜した保持面となっている。この胸部保持部材１０Ａの下側両端部には軸穴を有する１対の突片１１が一体的に設けられている。また、胸部保持部材１０Ａの下側中央部には下方へ伸びる柱状部１２が設けられている。さらに、胸部保持部材１０Ａの下部（１対の突片１１の間、かつ柱状部１２から偏離した位置）には、回動規制片４２が当接する当接片１６が設けられている。この胸部保持部材１０Ａのその他の構成は、第１の実施形態の胸部保持部材１０の場合と同様である。
【００４１】
スタンド部材３０Ａは、ベース部３１と、支柱部３２と、高さ調整手段３３及び３３Ａとから構成されている。高さ調整手段３３Ａの構成は、高さ調整手段３３と同様である。ここで、胸部保持部材１０Ａの柱状部１２は高さ調整手段３３Ａ及び柱状部１２Ａの内部に挿入され、高さ調整手段３３Ａの下部に伸びる柱状部１２Ａは、支柱部３２の内部に挿入されるように構成されている。高さ調整手段３３及び３３Ａにより、胸部保持部材１０Ａの高さを２段階で調整することができる。このスタンド部材３０Ａの他の構成は、第１の実施形態のスタンド部材３０の場合と同様である。
【００４２】
腹部保持部材４０Ａは、横方向の軸線に関して回動可能に胸部保持部材１０Ａに軸支された回動部材４０ａと、この回動部材４０ａに前後方向に位置調整可能に装着された腹受け部材４０ｂとを有している。回動部材４０ａの下部において、当接片１６に対応する位置に回動部材４０ａの回動を規制する回動規制片４２Ａが設けられている。この回動規制片４２Ａは、胸部保持部材１０Ａに設けられた当接片１６に当接することで回動部材４０ａの回動を規制するように構成されている。また、胸部保持部材１０Ａの下部に回動規制片４２Ａの回動規制を解除するための解除手段としての押しコマ４３Ａが設けられている。押しコマ４３Ａは片方の突片１１に挿通するように装着されおり、この押しコマ４３Ａを押すと、当接片１６が曲げ変形し、回動規制片４２Ａの当接する端部が当接片１６から外れることで回動規制片４２Ａの回動規制が解除され、回動部材４０ａが回動可能な状態となる。なお、腹部保持部材４０Ａのその他の構成は、第１の実施形態の腹部保持部材４０の場合と同様である。
【００４３】
以上説明したように、本実施形態の犬保持装置２００は、犬の胸部を前脚後方の下方より保持すると共に前方に略傾斜した保持面を有するＵ字形状の胸部保持部材１０Ａと、犬の首部を前脚前方から保持するバンド部材２０と、胸部保持部材１０Ａの下部に連結されており、この胸部保持部材１０Ａを自立可能に支持するスタンド部材３０Ａと、犬の腹部を下方より保持する腹部保持部材４０Ａとを備え、腹部保持部材４０Ａは、横方向の軸線に関して回動可能に胸部保持部材１０Ａに軸支された回動部材４０ａとこの回動部材４０ａに位置調整可能に装着された腹受け部材４０ｂとから構成されている。これにより、低くして犬は脚が床に着くと精神的に不安にならない安定した状態で保持される。高くして脚を浮かせれば移動や転倒を防止する。更に作業者の姿勢に合わせ上下すれば座っての作業も可能であり、飛沫の飛散も最小限に抑えられる。また、小型で使用が簡便であり、かつ製造コストが安価となる。さらに、回動部材４０ａと共に腹受け部材４０ｂを下方に回動させれば、犬の腹部から胸まで容易に洗うことができる。また、腹受け部材４０ｂの位置を前後方向に調整できるので、犬の大きさに応じた最適な状態で犬を保持することができる。
【００４４】
スタンド部材３０Ａは、２つの高さを調整する高さ調整手段３３及び３３Ａを備えていることにより、より小型化を図ることができる。
【００４５】
図９は本発明の第３の実施形態に係る犬保持装置３００の構成を示しており、同図は犬保持装置３００を使用して犬を洗う場合を概略的に示している。図９に示すように、犬保持装置３００は、腹部保持部材４０及びそれを装着するための部分を有しない。その他の構成は第１の実施形態の場合と同様である。
【００４６】
なお、前述した実施形態の犬保持装置１００及び２００においては、回動部材４０ａに設けられた複数の嵌合穴４４ａと、腹受け部材４０ｂに設けられた１対の嵌合部４４ｂとの嵌合位置によって、腹受け部材４０ｂの位置を調整する構成例を説明したが、本発明はこれに限定されるものではない。他の位置調整方法、例えば、スライド機構、又は両方に複数の磁石を設けて位置を調整する機構を用いても良い。
【００４７】
また、前述した実施形態の犬保持装置１００、２００及び３００において、バンド部材２０は、可撓性を有する樹脂板から形成された例を説明したが、本発明はこれに限定されるものではない。他の材料、例えば、ゴムベルト等から形成するようにしても良い。
【００４８】
さらに、前述した実施形態において、犬を洗う等の作業を行うための犬保持装置１００、２００及び３００として説明したが、本発明は犬に限定されるものではない。猫等他の４足動物にも本発明を適用できる。
【００４９】
前述した実施形態の犬保持装置１００、２００及び３００において、尻、腹、胸の洗浄について記したが、背、首、顔、頭等全身洗浄にも有効であり、本発明品が犬と接触する部分は極めて少ないうえその部分も容易に手を差し入れることができ、洗浄その他の作業ができる。
【００５０】
本発明は、上記の実施形態に限定されるものでなく、特許請求の範囲に記載された発明の要旨を逸脱しない範囲内での種々、設計変更した形態を技術的範囲に含むものである。
【産業上の利用可能性】
【００５１】
本発明は、家庭、動物病院、ペットショップでペットを簡単に洗浄、乾燥、、医療を行う際に、犬を不安にさせず、安定して保持する目的に利用できる。
【符号の説明】
【００５２】
１０、１０Ａ  胸部保持部材
１１  突片
１２、１２Ａ  柱状部
１３  連結部
１４  嵌入穴
１５  ガイド穴
１６  当接片
２０  バンド部材
２１  角穴
３０、３０Ａ  スタンド部材
３１  ベース部
３２  支柱部
３３、３３Ａ  高さ調整手段
３３ａ  操作レバー
３３ｂ  回動軸
３３ｃ  鍔部
３３ｄ  ロック部材
３３ｅ  滑り止めシート
４０、４０Ａ  腹部保持部材
４０ａ  回動部材
４０ｂ  腹受け部材
４１  回転軸
４２、４２Ａ  回動規制片
４３、４３Ａ  押しコマ
４４ａ  嵌合穴
４４ｂ  嵌合部
４５  湾曲部
４６  係止部
５０  留め部材
５１  端部瘤
１００、２００、３００  犬保持装置
【図１】
2017006033.tif 000003
【図２】
2017006033.tif 000004
【図３】
2017006033.tif 000005
【図４】
2017006033.tif 000006
【図５】
2017006033.tif 000007
【図６】
2017006033.tif 000008
【図７】
2017006033.tif 000009
【図８】
2017006033.tif 000010
【図９】
2017006033.tif 000011